(57)【要約】【課題】露付きを抑制することが可能で、組み付けを簡素化することが可能な冷蔵庫を提供する。【解決手段】実施形態の冷蔵庫は、貯蔵室と、前記貯蔵室を開閉する扉と、を備え、前記扉の内部には、基板として表示用の光源を有する表示基板又は操作用の操作基板と、前記基板に接続されるリード線と、予め成形された成形断熱材とが、当該扉の前面側から前記基板、前記リード線、前記成形断熱材の順に位置するように配置され、前記リード線は、前記成形断熱材の幅方向と交差する方向に延び或いは前記成形断熱材の幅方向に延びるように配線されている。【選択図】図３Ｂ
2020169736.tif 000002
【特許請求の範囲】
【請求項１】
貯蔵室と、
前記貯蔵室を開閉する扉と、を備え、
前記扉の内部には、基板として表示用の光源を有する表示基板又は操作用の操作基板と、前記基板に接続されるリード線と、予め成形された成形断熱材とが、当該扉の前面側から前記基板、前記リード線、前記成形断熱材の順に位置するように配置され、
前記リード線は、前記成形断熱材の幅方向と交差する方向に延び或いは前記成形断熱材の幅方向に延びるように配線されている冷蔵庫。
【請求項２】
前記成形断熱材は、前記扉の厚み方向において前記基板の全部と重ならないよう、当該基板と当該成形断熱材とが相互にずれた位置に設けられている請求項１記載の冷蔵庫。
【請求項３】
前記扉において前記貯蔵室に対し回動可能に取付けられるヒンジ側から、前記成形断熱材、前記基板の順に位置するように配置されている請求項１又は２記載の冷蔵庫。
【請求項４】
前記成形断熱材は、前記扉の下側角部に沿わせるように配置され、又は前記扉における上側角部よりも下側角部に寄せて配置されている請求項１から３の何れか一項記載の冷蔵庫。
【請求項５】
前記扉の周辺部のうちの一辺側に取手部を備え、
前記成形断熱材は、前記扉の周辺部における前記一辺側とは反対側の他辺側よりも、前記取手部のある前記一辺側に寄せて配置されている請求項１から３の何れか一項記載の冷蔵庫。
【請求項６】
前記成形断熱材には、前記リード線を保持する保持部が設けられている請求項１から５の何れか一項記載の冷蔵庫。
【請求項７】
前記保持部は、前記リード線の一部のみを保持する請求項６記載の冷蔵庫。
【請求項８】
前記成形断熱材は、その縦横比が前記扉の縦横比よりも大きい縦長形状とし、縦方向に広い範囲にわたって延びるように前記扉に配設されている請求項１から７の何れか一項記載の冷蔵庫。
【発明の詳細な説明】
【技術分野】
【０００１】
本発明の実施形態は冷蔵庫に関する。
【背景技術】
【０００２】
従来より、例えば家庭用の冷蔵庫は、その冷蔵室の扉においてユーザの操作を受付ける複数の操作部とその操作結果を表す複数の表示部とを有する操作パネルを設けたものが供されている（例えば特許文献１参照）。
この種のものでは、扉の内部に、操作パネルの操作基板或いは光源を有する表示基板が配設され、その基板に接続されるリード線を扉の背面側に引き回す配線が必要となる等、組み付けに手間がかかる傾向にある。また、係る扉は、高湿度の環境下で露付きが発生する虞があり、解決すべき課題を内在する。
【先行技術文献】
【特許文献】
【０００３】
【特許文献１】国際公開ＷＯ２０１８／０１６０５３号
【発明の概要】
【発明が解決しようとする課題】
【０００４】
そこで、露付きを抑制することが可能で、組み付けを簡素化することが可能な冷蔵庫を提供する。
【課題を解決するための手段】
【０００５】
実施形態の冷蔵庫は、貯蔵室と、前記貯蔵室を開閉する扉と、を備え、前記扉の内部には、基板として表示用の光源を有する表示基板又は操作用の操作基板と、前記基板に接続されるリード線と、予め成形された成形断熱材とが、当該扉の前面側から前記基板、前記リード線、前記成形断熱材の順に位置するように配置され、前記リード線は、前記成形断熱材の幅方向と交差する方向に延び或いは前記成形断熱材の幅方向に延びるように配線されている。
【図面の簡単な説明】
【０００６】
【図１】第１実施形態における冷蔵庫の全体を示す正面図
【図２】電気的構成を示すブロック図
【図３Ａ】左扉の内部構造について真空断熱材を省いた状態で示す背面図
【図３Ｂ】同内部構造について真空断熱材を配置した状態で示す背面図
【図４】図３ＢのＡ−Ａ線に沿う横断面図
【図５Ａ】右扉の内部構造について真空断熱材を省いた状態で示す背面図
【図５Ｂ】同内部構造について、真空断熱材を配置した状態で示す背面図
【図６】図５ＢのＢ−Ｂ線に沿う横断面図
【図７】第２実施形態における左右の扉での真空断熱材の配置を説明するための背面図
【図８】第３実施形態における左右の扉の内部構造について真空断熱材を配置した状態で示す背面図
【図９】図８のＣ−Ｃ線に沿う横断面図
【図１０】リード線を保持した状態で示す成形断熱材の拡大図
【発明を実施するための形態】
【０００７】
以下、複数の実施形態による冷蔵庫を図面に基づいて説明する。尚、各実施形態において実質的に同一の構成部位には同一の符号を付す等して説明を省略する。
＜第１実施形態＞
図１に示す冷蔵庫１の本体２は、前面が開口した縦長矩形箱状の断熱箱体で構成されている。本体２の内部には、上から順に、冷蔵室３、野菜室４が設けられ、その下方に製氷室５と小冷凍室６とが左右に並べて設けられ、更にその下方の最下部に冷凍室７が設けられている。冷蔵室３及び野菜室４は、庫内温度が例えば１℃から５℃程度の冷蔵温度に制御される冷蔵温度帯の貯蔵室であり、製氷室５、小冷凍室６及び冷凍室７は、庫内温度が例えば−１８℃以下の冷凍温度に制御される冷凍温度帯の貯蔵室である。
【０００８】
冷蔵室３の前面部には、ヒンジ開閉式（フレンチ型）の冷蔵室用扉８，９が設けられており、前記野菜室４、製氷室５、小冷凍室６、及び冷凍室７の夫々の前面部には、引出し式の扉４ａ，５ａ，６ａ，７ａが設けられている。引出し式の扉４ａ〜７ａには、各々の背面部に食品等の貯蔵物を収容する、図示しない貯蔵容器が取付けられている。
【０００９】
図１に示すように、冷蔵室用扉８、９は、そのうち右側の扉９の水平方向（同図で左右方向となる幅方向）寸法ＷＲが左側の扉８の幅方向寸法ＷＬよりも大きい左右の扉（以下「左扉８、右扉９」とも称す）で構成されている（ＷＲ＞ＷＬ）。左扉８における右辺寄りの部位には、やや上側に位置させて操作パネル部１０が配置され、その下側に位置させて左タッチオープン操作部１１が配置されている。右扉９における左辺寄りの下側部位には、右タッチオープン操作部１２が設けられている。
【００１０】
また、図１に示すように、冷蔵庫１の本体２には、左扉８の上縁部と対応する位置に左開扉装置１３が設けられ、右扉９の上縁部と対応する位置に右開扉装置１４が設けられている。左開扉装置１３は、前後方向（図１の紙面と直交する方向）へ駆動する図示しないプランジャを有し、そのプランジャの駆動により左扉８を開扉する。右開扉装置１４は、前後方向へ駆動するプランジャを有し、そのプランジャの駆動により右扉９を開扉する。
【００１１】
左扉８の下辺部には、図１に破線で示す取手部８ｔが設けられている。取手部８ｔは、上方へ窪む凹状をなしており、ユーザは、取手部８ｔに対し下側から手指を掛けて左扉８を開放することができる。また、右扉９の下辺部には、凹状の取手部９ｔが設けられており、ユーザは、取手部９ｔに対し下側から手指を掛けて左扉８を開放することができる。
【００１２】
詳しい図示は省略するが、冷蔵庫１の本体２には冷凍サイクルが組込まれている。冷凍サイクルは、冷蔵室３や野菜室４を冷却するための冷蔵室用冷却器、製氷室５や冷凍室６，７を冷却するための冷凍室用冷却器（何れの冷却器も図示略）、凝縮器（図示略）、各冷却器に対する冷媒の流れを切替えるための切替弁１６（図２参照）、圧縮機１５（図２参照）等を備える。
【００１３】
ここで、図２は、冷蔵庫１の電気的構成をブロック図で示している。冷蔵庫１全体の制御を司る制御装置２２は、マイクロコンピュータを主体に構成されており、冷蔵庫１の本体２上部に配設されている。
【００１４】
図２に示すように、制御装置２２には、冷凍サイクルを構成する圧縮機１５及び切替弁１６が接続されると共に、冷蔵用送風機１７、冷凍用送風機１８、除霜ヒータ１９、冷蔵室温度センサ２０、冷凍室温度センサ２１が接続されている。
冷蔵用送風機１７は、前記冷蔵室用冷却器で冷却された空気を冷蔵室３や野菜室４へ供給して循環させる。冷凍用送風機１８は、前記冷凍室用冷却器で冷却された空気を製氷室５や冷凍室６，７へ供給して循環させる。除霜ヒータ１９は、冷凍室用冷却器の除霜を行うためのものである。
制御装置２２は、各温度センサ２０，２１を含む各種センサ類や、操作パネル部１０からの入力信号に基づいて、冷蔵用送風機１７、冷凍用送風機１８、圧縮機１５、切替弁１６、除霜ヒータ１９等を制御することにより、冷蔵庫１の冷却運転を実行する。
【００１５】
また、図２に示すように、制御装置２２には、開扉装置１３，１４が接続されると共に、左扉８における操作パネル部１０、左タッチオープン操作部１１、照明用ＬＥＤ２３、並びに右扉９における右タッチオープン操作部１２、照明用ＬＥＤ２４が接続されている。これにより、制御装置２２は、左タッチオープン操作部１１からの入力信号に基づき、その操作部１１でのユーザによるタッチ操作を検知して、左開扉装置１３のプランジャを駆動させることにより、左扉８を開扉させる。同様に、制御装置２２は、右タッチオープン操作部１２からの入力信号に基づきタッチ操作を検知して、右開扉装置１４のプランジャを駆動させることにより、右扉９を開扉させる。
【００１６】
詳しくは後述するように、照明用ＬＥＤ２３は、左扉８のヒンジ側８ｈにあって且つ当該左扉８背面のスロート部８ｓ（図４参照）における上下方向中間部に配置されている。照明用ＬＥＤ２４は、右扉９のヒンジ側９ｈにあって且つ右扉９背面のスロート部９ｓ（図６参照）における上下方向中間部に配置されている。
【００１７】
続いて、左扉８及び右扉９並びにそれらの内部構成について、図３Ａ〜図６も参照しながら説明する。ここで、図３Ａ、図３Ｂは、左扉８の内部構造を表わす「背面側」から見た模式図であり、図３Ａでは便宜上、左扉８内部の真空断熱材３０を省いた状態で示している。また、図４は、図３ＢのＡ−Ａ線に沿う横断面図を示している。
【００１８】
即ち先ず、左扉８は、外板８ａと内板８ｂとを周側枠８ｃで組み合わせ（図１、図４参照）、その内部に断熱材として充填される発泡断熱材（例えば発泡ウレタン）３１と共に真空断熱材３０が用いられている（図３Ｂ参照）。右扉９も、外板９ａと内板９ｂとを周側枠９ｃで組合せ（図１、図６参照）、その内部の断熱材として発泡断熱材４１と真空断熱材４０が用いられている（図５Ｂ参照）。なお、扉８，９の外板８ａ，９ａは例えばガラス製、内板８ｂ，９ｂは例えばプラスチック製のものとする。
これにより、冷蔵室３の前面開口は、左扉８と右扉９の２枚の扉で開閉するようにしており、左扉８は左端部（図３Ｂで右端部となるヒンジ側８ｈ）が本体２に軸支され、右扉９は右端部（図５Ｂで左端部となるヒンジ側９ｈ）が本体２に軸支されて、夫々のヒンジ側８ｈ，９ｈを中心に回動する観音開き式に構成されている。
【００１９】
左右の扉８，９は、夫々冷蔵室３に面する内板８ｂ、９ｂの背面にスロート部８ｓ，９ｓを有している。スロート部８ｓ，９ｓは、図４、図６の横断面図で示すように、内板８ｂ，９ｂの各背面の周囲部から矩形の枠状に突出するように形成されており、スロート部８ｓ，９ｓの各囲繞空間には、周知のポケット部（図示略）が複数段設けられている。そして、スロート部８ｓ，９ｓのヒンジ側８ｈ，９ｈにおける上下方向の略中間部には、夫々前記照明用ＬＥＤ２３，２４が設けられている（図３Ａ、図５Ａの二点鎖線参照）。
【００２０】
詳しい図示は省略するが、照明用ＬＥＤ２３，２４は、扉８，９の開放状態で、冷蔵室３に照射する光の照射範囲が夫々扉８，９（特にはヒンジ側８ｈ，９ｈ）にかからないようにして、その照射する光が扉８，９による影を作らないようにしている。なお、前記各種センサ類として、図示しない扉開閉検知手段（例えばマイクロスイッチ）が本体２に設けられており、当該マイクロスイッチが扉８，９の開放を検知したときに照明用ＬＥＤ２３，２４を発光させ、扉８，９の閉鎖を検知したときに照明用ＬＥＤ２３，２４を消光させる。
【００２１】
図３Ａの左扉８において、照明用ＬＥＤ２３は、同図に二点鎖線で示す基板２３０に実装されている。この基板２３０に接続されるリード線２３ａは、後述する束線３３としてヒンジ側８ｈの上部に導出され、中継コネクタ３４を介して本体２側の制御装置２２と接続される。また、図５Ａの右扉９において、照明用ＬＥＤ２４は、同図に二点鎖線で示す基板２４０に実装されている。この基板２４０に接続されるリード線２４ａは、束線４３としてヒンジ側９ｈの上部に導出され、中継コネクタ４４を介して本体２側の制御装置２２と接続される。
【００２２】
前記操作パネル部１０は、左扉８における外板８ａの裏面側にあって、ヒンジ側８ｈとは反対の開動側、つまり右側寄り（図３Ａでは左側寄り）の位置における縦長な矩形の領域に設けられている。操作パネル部１０は、操作用の操作基板１０１と表示用の光源を有する表示基板１０２とを備える。
【００２３】
具体的には、操作パネル部１０において、図１に示すように縦方向に並ぶ複数（例えば６個）の操作部１０１ａ〜１０１ｆと、それら操作部１０１ａ〜１０１ｆの左側に対応する位置に並ぶ複数の表示部１０２ａ〜１０２ｆとを備える。各操作部１０１ａ〜１０１ｆは、夫々の裏面側に位置して静電容量検出部（図示略）を有する静電容量式タッチセンサで構成されており、夫々対応する外板８ａの前面側に仮想的な操作ボタンを設定する。この場合、操作基板１０１は、前記静電容量検出部の信号処理回路（検出部）を含む回路基板とされており、操作の用に供される。
【００２４】
詳しい図示は省略するが、表示部１０２ａ〜１０２ｆは、これに対応するように表示基板１０２に実装された複数のＬＥＤ（図示しない光源）の点灯により、操作部１０１ａ〜１０１ｆに対応する文字や図形が明輝して見えるように構成されている。例えば、表示部１０２ａ〜１０２ｆのうち最も上側の表示部１０２ａは、「冷蔵」の操作部１０１ａに対応した「強」「弱」の文字をＬＥＤの点灯により表示させる。この場合、表示基板１０２は、ＬＥＤに対して通電する回路を含む回路基板とされており、表示の用に供される。
【００２５】
ここで、本実施形態の「基板」とは、上記したタッチセンサとして操作機能或いはＬＥＤ等の光源による表示機能を実現するための部品が配置される板状若しくはシート状の部材を称するものとする。図３Ａに示すように、操作基板１０１に接続されるリード線１０ａと表示基板１０２に接続されるリード線１０ｂとは、束線３３としてヒンジ側８ｈの上部に導出され、中継コネクタ３４を介して本体２側の制御装置２２と接続される。
なお、図３Ａでは、模式図として操作パネル部１０における操作基板１０１と表示基板１０２とを前後方向に重ねて示しているが、両基板１０１，１０２を前後方向に組み合せた操作ユニットとして、或いは１つの基板で構成してもよい。
【００２６】
前記左タッチオープン操作部１１は、左扉８において操作基板１０１と同様の、静電容量式タッチセンサを構成する操作基板１１０を備える。即ち、操作基板１１０は、左扉８の外板８ａ裏面側にあって、図３Ａに示す操作基板１０１と前記取手部８ｔとの間の位置に配置され、対応する外板８ａ前面側にてタッチ操作される仮想的な操作ボタンを設定する。操作基板１１０に接続されるリード線１１ａは、束線３３としてヒンジ側８ｈの上部に導出され、中継コネクタ３４を介して本体２側の制御装置２２と接続される。
同様に、図５Ａに示す右タッチオープン操作部１２は、右扉９において静電容量式タッチセンサを構成する操作基板１２０を備える。操作基板１２０は、右扉９の外板９ａ裏面側にあって、前記取手部９ｔ寄りの位置に配置され、対応する外板９ａ前面側に仮想的な操作ボタンを設定する。操作基板１２０に接続されるリード線１２ａは、束線４３としてヒンジ側９ｈの上部に導出され、中継コネクタ４４を介して本体２側の制御装置２２と接続される。
【００２７】
なお、左右のタッチオープン操作部１１，１２は、図示しない表示用の光源が実装された操作基板１１０，１２０或いは別の表示基板を用いて、その操作部１１，１２にて文字等が明輝して見えるように構成してもよい。以下では、上記した操作基板１０１、表示基板１０２、操作基板１１０、操作基板１２０の夫々についても、適宜「基板１０１、基板１０２、基板１１０、基板１２０」と称する。
【００２８】
上記した束線３３は、左扉８におけるリード線１０ａ，１０ｂ，１１ａ，２３ａを束ねたものであり、束線４３は、右扉９におけるリード線１２ａ，２４ａを束ねたものである。
このうち、図３Ａ、図３Ｂの束線３３は、左扉８において発泡断熱材３１に埋設されるが、同図では便宜上、当該束線３３を実線で表している。図３Ａの符号「Ｃ１〜Ｃ４」は、基板１０１，１０２，１１０，２３０上における夫々のコネクタ部Ｃ１，Ｃ２，Ｃ３，Ｃ４を表わしており、対応するリード線１０ａ，１０ｂ，１１ａ，２３ａが接続される。また、図３Ａの符号「Ｄ１〜Ｄ４」は、束線３３における、リード線１０ａ，１０ｂ，１１ａ，２３ａの夫々の分岐点Ｄ１，Ｄ２，Ｄ３，Ｄ４を表わすものとする。
【００２９】
同様に、図５Ａ、図５Ｂでは、右扉９において発泡断熱材４１に埋設される束線４３を実線で表している。同図の符号「Ｃ５，Ｃ６」は、基板１２０，２４０上における夫々のコネクタ部Ｃ５，Ｃ６を表わしており、対応するリード線１２ａ，２４ａが接続される。また、図５Ａの符号「Ｄ５」は、束線４３におけるリード線１２ａの分岐点Ｄ５を表わすものとする。
【００３０】
そして、各扉８，９の内部においては、前面側から表示用或いは操作用の基板１０１，１０２，１１０，１２０、当該リード線１０ａ，１０ｂ，１１ａ，１２ａ、真空断熱材３０，４０が、この順に位置するように配置されている。
詳細には、真空断熱材３０，４０は例えば、予めグラスウール等の無機繊維の積層材を圧縮硬化して成形した芯材を、外包フィルムで真空パックした成形断熱材である。
【００３１】
このうち、図３Ｂに示す左扉８の真空断熱材３０は、例えば両面テープやホットメルト等により内板８ｂに沿うようにして取付けられる（図４参照）。この場合、図３Ｂに示すように、真空断熱材３０は、その長手方向を縦方向とし、上方の基板１０１よりも上方へ延び且つ下方の基板１１０よりも下方へ延びる縦方向の寸法Ｈ１に設定されている。これにより、真空断熱材３０は、その縦横比（Ｈ１：Ｗ１）が左扉８の縦横比（ＨＬ：ＷＬ）よりも大きく、縦方向に広い範囲にわたって延びる縦長形状とされている。この場合、真空断熱材３０は、左扉８の厚み方向（図３Ｂの紙面と直交する方向）において基板１０１，１０２，１１０と重ならないよう、当該基板１０１，１０２，１１０の裏側を避けた、左扉８の左右方向中央部に位置する。また、真空断熱材３０は、例えば左扉８で最も幅広な基板１１０の幅寸法Ｗ０よりも大きい幅寸法Ｗ１に設定されている（Ｗ１＞Ｗ０）。
【００３２】
こうして、左扉８においてヒンジ側８ｈから、真空断熱材３０と、表示用或いは操作用の基板１０１，１０２，１１０とがこの順に位置する配置となる。また、図４に示すように、左扉８の外板８ａ側から、表示用或いは操作用の基板１０１，１０２，１１０、そのリード線１０ａ，１０ｂ，１１ａ、真空断熱材３０が、この順に位置する。この場合、束線３３は、その殆どが真空断熱材３０により背面側から覆われた状態にあり、真空断熱材３０の幅方向と交差する方向（略直交する方向）に延びている（図３Ｂ参照）。また、束線３３の分岐点Ｄ１，Ｄ２，Ｄ３，Ｄ４から分岐するリード線１０ａ，１０ｂ，１１ａ，２３ａは、真空断熱材３０の幅方向に延びるようにして、夫々対応する基板１０１，１０２，１１０，２３０側へ配線されている。
【００３３】
他方、図５Ｂに示す右扉９の真空断熱材４０についても、内板９ｂ側に沿うようにして取付けられている（図６参照）。左扉８の真空断熱材３０と同様、真空断熱材４０は、その縦横比（Ｈ２：Ｗ２）が右扉９の縦横比（ＨＲ：ＷＲ）よりも大きく、縦方向に広い範囲にわたって延びる縦長形状とされている（図５Ｂ参照）。真空断熱材４０は、その下端部が下方の基板１２０よりも下方へ延びており、真空断熱材３０の縦方向の寸法Ｈ１と同じ縦方向の寸法Ｈ２に設定されている（Ｈ１＝Ｈ２）。また、真空断熱材４０は、右扉９の厚み方向において基板１２０と重ならないよう、当該基板１２０の裏側を避けた、右扉９の左右方向中央乃至ヒンジ寄りに配置されている。真空断熱材４０は、基板１２０の幅寸法Ｗ０よりも大きい幅寸法Ｗ２に設定されており（Ｗ２＞Ｗ０）、又、真空断熱材３０よりも幅広に設定することができる（Ｗ２＞Ｗ１）
【００３４】
こうして、右扉９においてヒンジ側９ｈから、真空断熱材４０と操作用の基板１２０とがこの順に位置する配置となる。また、図６に示すように、右扉９の外板９ａ側から、操作用の基板１２０、そのリード線１２ａ、真空断熱材４０が、この順に位置する。この場合、束線４３は、その殆どが真空断熱材４０により背面側から覆われた状態にあり、真空断熱材３０の幅方向と交差する方向（傾斜した方向）に延びている。また、束線４３の分岐点Ｄ５から分岐するリード線２４ａ，或いはリード線１２ａも、真空断熱材３０の幅方向と交差する方向に延びるようにして、夫々対応する基板２４０，１２０側へ配線されている。
【００３５】
なお、発泡断熱材３１，４１は、充填時に流動性を有する液状で、充填後は発泡して固化する。これに対し、真空断熱材３０，４０は、柔軟性を殆ど有しない成形断熱材である。真空断熱材３０，４０は、発泡断熱材３１，４１に比して断熱性能に優れていることから、左右の扉８，９において断熱材を発泡断熱材のみとしたものに比べて、断熱性能を向上させたり、扉８，９を薄くしたりすることができる。その結果、露付き防止を図ることができ、或いは冷蔵庫１の消費電力の低減や、庫内容積の増大に寄与することができる。
【００３６】
以上説明したように、本実施形態の冷蔵庫１において、扉８，９の内部には、基板として表示用のＬＥＤを有する表示基板１０２或いは操作用の操作基板１０１，１１０，１２０と、それら基板１０１，１０２，１１０，１２０に接続されるリード線１０ａ，１０ｂ，１１ａ，１２ａと、予め成形された真空断熱材３０，４０とが、当該扉８，９の前面側から基板１０１，１０２，１１０，１２０、リード線１０ａ，１０ｂ，１１ａ，１２ａ、真空断熱材３０，４０の順に位置するように配置され、リード線１０ａ，１０ｂ，１１ａ，１２ａは、真空断熱材３０，４０の幅方向と交差する方向に延び或いは真空断熱材３０，４０の幅方向に延びるように配線されている。
【００３７】
このように、成形断熱材として本実施形態の如く真空断熱材３０，４０を用いた場合、基板１０１，１０２，１１０，１２０やリード線１０ａ，１０ｂ，１１ａ，１２ａの背面側にて真空断熱材３０，４０による断熱性能を得ることができ、露付き防止を図ることができる。また例えば、真空断熱材の背面側に引き回すようにしてリード線を配線したものに比して、真空断熱材３０，４０を扉８，９の背面側に合わせて配置し易く、又、配線作業を含む工数を削減することが可能となり、扉８，９の薄型化に好適なものとすることができる。
なお、図６で示したように、リード線１２ａ乃至束線４３を、全体として真空断熱材３０の幅方向と交差するように傾斜した配線とすることにより、その配線長を極力短くすることが可能となる。つまり、真空断熱材３０は板状をなすため、この前側にて配線経路を曲げることなく直線状の配線とすることができる。
【００３８】
真空断熱材３０，４０は、扉８，９の厚み方向において基板１０１，１０２，１１０，１２０の全部と重ならないよう、当該基板１０１，１０２，１１０，１２０と当該真空断熱材３０，４０とが相互にずれた位置に設けられている。これによれば、扉８，９の厚み方向における、真空断熱材３０，４０と基板１０１，１０２，１１０，１２０との間の干渉を回避可能な配置とすることができる。
【００３９】
左扉８において冷蔵室３に対し回動可能に取付けられるヒンジ側８ｈから、真空断熱材３０、基板１０１，１０２，１１０の順に位置するように配置され、右扉９において冷蔵室３に対し回動可能に取付けられるヒンジ側９ｈから、真空断熱材４０と基板１２０とがこの順に位置するように配置される。
これによれば、基板１０１，１０２，１１０に対応する操作部１１，１２や表示部（操作パネル部１０）が、ヒンジ側８ｈ，９ｈとは反対側、つまり冷蔵庫１の中央寄りに位置することにより、操作をし易く表示を見易いものとすることができる。
前記成形断熱材（例えば真空断熱材４０）は、その縦横比（Ｈ２：Ｗ２）が扉の縦横比（例えば右扉９の縦横比（ＨＲ：ＷＲ））よりも大きく、縦方向に広い範囲にわたって延びる縦長形状とされている。このため、成形断熱材による断熱性能を縦方向に広い範囲にわたって確保することができ、又、例えば真空断熱材３０，４０の厚みを増加させても、基板１０１，１０２，１１０，１２０を左右方向にずらして配置することができる等、設計の自由度も高め得る。
【００４０】
なお、本実施形態と異なり、断熱材を発泡断熱材のみとした場合に、その充填前に露付き対策を兼ねて、アルミテープ（ソフトテープ）を、各基板やリード線或いは束線の殆どを覆うようにして貼り付けていた。これに対し、本実施形態では、発泡断熱材３１，４１と真空断熱材３０，４０（成形断熱材）とを併用し、又、次の実施例でも述べるように成形断熱材の位置や大きさ、材料等を適宜設定することにより、アルミテープを全廃し、その貼り付け作業を無くすことも可能となる。
【００４１】
＜第２実施形態＞
図７は、本第２実施形態の扉８´，９´を示す背面図であり、扉８´，９´内部の真空断熱材３０，４０を破線で表している。本第２実施形態の扉８´，９´は、第１実施形態の扉８，９と次の点で相違する。
【００４２】
即ち、真空断熱材３０は、左扉８´におけるヒンジ側８ｈとは反対側の辺部、つまり冷蔵庫１の中央側辺部に極力寄せると共に、取手部８ｔのある下辺部に極力寄せた位置に配置されている。この場合、左扉８´の内板８ｂは、真空断熱材３０の取付け基準として、前記中央側辺部と前記下辺部とに沿わせて複数の当接部ｐ１が形成された段付き状をなしている。これら当接部ｐ１と真空断熱材３０とが当接することにより、真空断熱材３０は、その下側角部が符号ｐ０で示す基準位置に合致するようにして保持される。
同様に、右扉９´の真空断熱材４０も、冷蔵庫１の中央側となる中央側辺部に寄せると共に、取手部９ｔのある下辺部に極力寄せた位置に配置されている。右扉９´の内板９ｂは、前記中央側辺部と前記下辺部とに沿わせて複数の当接部ｐ２が形成された段付き状をなし、これら当接部ｐ２と真空断熱材４０とが当接することにより、真空断熱材４０を、その下側角部の基準位置ｐ０に合致させるようにして保持する。
【００４３】
以上のように、本第２実施形態の真空断熱材３０，４０は、扉８´，９´の下側角部に沿わせるように配置され、又、扉８´，９´の上側角部よりも下側角部へ寄せて配置されるため、特に結露が発生しやすい扉８´，９´の当該下側角部側の断熱性を高めることができ、露付きを抑制することができる。
また、真空断熱材３０，４０は、扉８´，９´の周縁部（つまり周辺部）における、上辺側よりも取手部８ｔ，９ｔのある下辺側（一辺側）に寄せるようにして配置されるため、特に結露が発生しやすい取手部８ｔ，９ｔ側の断熱性を高めことができ、露付きを抑制することができる。
【００４４】
＜第３実施形態＞
図８〜図１０は本第３実施形態を示しており、本第３実施形態では、真空断熱材３０，４０に代えて、発泡スチロール（ＥＰＳ）からなる成形断熱材５０を用いている。
図８、図９の模式図で示すように、成形断熱材５０は、各扉８，９における束線３３，４３の分岐点Ｄ１，Ｄ２，Ｄ３，Ｄ５から延びるリード線１０ａ，１０ｂ，１１ａ，１２ａを夫々保持するよう、複数箇所に設けられている。
【００４５】
図１０の拡大図で示すように、成形断熱材５０は、例えば予め矩形ブロック状に成形された断熱材であり、その上面にはリード線１０ａ〜を保持するための溝部５１（保持部）が形成されている。図９において、成形断熱材５０は、リード線１１ａに対応する位置にて、外板８ａ裏面側に固着されるものとする。或いは内板８ｂ前面側に成形断熱材５０を固着してもよい。図９のように成形断熱材５０を配置した場合でも、成形断熱材５０の後端部は、リード線１０ａ〜或いは束線３３，４３よりも内板８ｂ側に位置し、上記した基板１１０〜と、リード線１０ａ〜と、成形断熱材５０との配置順が維持されている。
【００４６】
図８に示す複数の成形断熱材５０は、相互に寸法形状を異ならせ、或いは何れも、より大きい外形となるよう予め成形してもよい。また、保持部は、溝部５１に限らず、リード線１０ａ〜が挿通される孔部でもよいし、リード線１０ａ〜を挟み込むスリット状に成形する等、適宜保持構造を変更することができる。
【００４７】
以上のように、本第３実施形態の成形断熱材５０には、リード線１０ａ〜を保持する保持部が設けられているため、保持部を利用して配線作業を簡単に行うことができ、工数の低減を図りうる。
前記保持部は、溝部５１の如くリード線１０ａ〜の一部のみを保持する構成にあっても、配線作業で利用することができ、又、成形断熱材５０が嵩張らないようにすることができる。
また、本第３実施形態の束線３３，４３やリード線１２ａ等の配線経路を第１実施形態の配線経路と異ならせているが（図８、図３Ａ、図５Ａ参照）、そのリード線１２ａ等は、成形断熱材５０の幅方向（図８で左右方向）と交差する方向に延び或いは成形断熱材５０の幅方向に延びるように配線されており、第１実施形態と同様の効果を奏する。
【００４８】
上記した各実施形態やその変形例は、係る構成を適宜組み合わせるようにしてもよいし、以下の変形例も含め、一部の構成を変更し或いは省略してもよい。
例えば扉は、左扉８と右扉９の２枚の扉に限らず、１枚の扉であってもよい。基板は、少なくとも１枚の扉に配設された、表示用の光源を有する表示基板又は操作用の操作基板で構成されていればよい。また、基板は、扉における中央部の位置に配置してもよい。
成形断熱材５０は、上記した真空断熱材３０，４０やＥＰＳに限らず、他の断熱材料を用いて予め成形された断熱部材で構成してもよい。
【００４９】
以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
図面中、１は冷蔵庫、３は冷蔵室（貯蔵室）、８，９は扉、８ｈ，９ｈはヒンジ側、は操作ユニット、８ｔ，９ｔは取手部、２６ａ〜３１ａは操作ボタン、１０ａ，１０ｂ，１１ａ，１２ａはリード線、３０，４０，５０は成形断熱材、５１は溝部（保持部）、１０１，１０２，１１０，１２０は基板（表示基板又は操作基板）を示す。
【図１】
2020169736.tif 000003
【図２】
2020169736.tif 000004
【図３Ａ】
2020169736.tif 000005
【図３Ｂ】
2020169736.tif 000006
【図４】
2020169736.tif 000007
【図５Ａ】
2020169736.tif 000008
【図５Ｂ】
2020169736.tif 000009
【図６】
2020169736.tif 000010
【図７】
2020169736.tif 000011
【図８】
2020169736.tif 000012
【図９】
2020169736.tif 000013
【図１０】
2020169736.tif 000014